(57)【要約】【課題】例えば、止水板が水圧によって屋内側へ撓むのを抑制できる新規な構成の止水装置を得る。【解決手段】実施形態の止水装置は、例えば、建物開口の少なくとも下部で屋外側と屋内側とを隔てるように、上方を向きかつ建物開口の幅方向に延びた設置面上に設置される止水板と、止水板の下面に設けられ、止水板と設置面との間をシールするシール部材と、設置面に設けられ、止水板の少なくとも幅方向の中央部における屋内側の第一側面と面し、当該第一側面との当接によって止水板の屋内側への移動を制限するストッパ部と、を備える。【選択図】図４
2020172815.tif 000002
【特許請求の範囲】
【請求項１】
建物開口の少なくとも下部で屋外側と屋内側とを隔てるように、上方を向きかつ前記建物開口の幅方向に延びた設置面上に設置される止水板と、
前記止水板の下面に設けられ、前記止水板と前記設置面との間をシールするシール部材と、
前記設置面に設けられ、前記止水板の少なくとも前記幅方向の中央部における屋内側の第一側面と面し、当該第一側面との当接によって前記止水板の屋内側への移動を制限するストッパ部と、
を備えた、止水装置。
【請求項２】
前記ストッパ部は、前記設置面の沓摺部材に設けられた、請求項１に記載の止水装置。
【請求項３】
前記ストッパ部は、前記設置面または前記沓摺部材に着脱可能に取り付けられた、請求項１または２に記載の止水装置。
【請求項４】
前記ストッパ部は、前記設置面に収納された収納位置と、前記収納位置から回転中心回りに回転して前記設置面上に突出した突出位置と、の間で移動可能に構成された、請求項１に記載の止水装置。
【請求項５】
前記止水板は、前記設置面に設けられた凹部内に突出した突出部を有し、
前記ストッパ部は、前記突出部の前記第一側面と面した前記凹部の第二側面に設けられた、請求項１に記載の止水装置。
【発明の詳細な説明】
【技術分野】
【０００１】
本発明は、止水装置に関する。
【背景技術】
【０００２】
従来、建物開口の少なくとも下部で屋外側と屋内側とを隔てるように設置面上に設置される止水板と、止水板の下面に設けられ止水板と設置面との間をシールするシール部材と、を備えた止水装置が、知られている（例えば、特許文献１参照）。
【先行技術文献】
【特許文献】
【０００３】
【特許文献１】特開２０１７−０６１７９３号公報
【発明の概要】
【発明が解決しようとする課題】
【０００４】
この種の止水装置では、例えば、止水板が水圧によって屋内側へ撓むのを抑制できる新規な構成が得られれば、有益である。
【０００５】
そこで、本発明の課題の一つは、例えば、止水板が水圧によって屋内側へ撓むのを抑制できる新規な構成の止水装置を得ることである。
【課題を解決するための手段】
【０００６】
本発明の止水装置は、例えば、建物開口の少なくとも下部で屋外側と屋内側とを隔てるように、上方を向きかつ前記建物開口の幅方向に延びた設置面上に設置される止水板と、前記止水板の下面に設けられ、前記止水板と前記設置面との間をシールするシール部材と、前記設置面に設けられ、前記止水板の少なくとも前記幅方向の中央部における屋内側の第一側面と面し、当該第一側面との当接によって前記止水板の屋内側への移動を制限するストッパ部と、を備える。
【０００７】
このような構成によれば、例えば、建物開口が幅方向に比較的広い場合等に、止水板の幅方向の中央部が水圧によって幅方向の両端部よりも屋内側へ撓むのを抑制することができる。よって、例えば、止水板の撓みに伴ってシール部材が設置面に対して屋内側へ移動したり（滑ったり）、シール部材が止水板から外れたりするのが抑制され、ひいては止水板と設置面との間の止水性能の低下を抑制できる。
【０００８】
また、上記止水装置では、例えば、前記ストッパ部は、前記設置面の沓摺部材に設けられる。このような構成によれば、例えば、ストッパ部が沓摺部材に設けられた構成によって、止水板の屋内側への撓みを抑制可能な止水装置が比較的容易に実現されうる。
【０００９】
また、上記止水装置では、例えば、前記ストッパ部は、前記設置面または前記沓摺部材に着脱可能に取り付けられる。このような構成によれば、例えば、ストッパ部の使用時には止水板の屋内側への撓みを抑制できる一方で、非使用時にはストッパ部と建物開口を出入りする車両や人間等との干渉を抑制できる。
【００１０】
また、上記止水装置では、例えば、前記ストッパ部は、前記設置面に収納された収納位置と、前記収納位置から回転中心回りに回転して前記設置面上に突出した突出位置と、の間で移動可能に構成される。このような構成によれば、例えば、ストッパ部を設置面により容易に設置あるいは収納することができる。また、例えば、ストッパ部の使用時には止水板の屋内側への撓みを抑制できる一方で、非使用時にはストッパ部と建物開口を出入りする車両や人間等との干渉を抑制できる。
【００１１】
また、上記止水装置では、例えば、前記止水板は、前記設置面に設けられた凹部内に突出した突出部を有し、前記ストッパ部は、前記突出部の前記第一側面と面した前記凹部の第二側面に設けられる。このような構成によれば、例えば、ストッパ部が凹部の第二側面に設けられた構成によって、止水板の屋内側への撓みを抑制可能な止水装置が比較的容易に実現されうる。
【発明の効果】
【００１２】
本発明によれば、例えば、止水板が水圧によって屋内側へ撓むのを抑制できる新規な構成の止水装置を得ることができる。
【図面の簡単な説明】
【００１３】
【図１】図１は、実施形態の止水装置の例示的かつ模式的な正面図であって、止水板が閉位置に位置された状態の図である。
【図２】図２は、図１のII−II断面図である。
【図３】図３は、図１のII−II断面図であって、止水板が開位置に位置された状態の図である。
【図４】図４は、図２の止水板の近傍の拡大図である。
【図５】図５は、図１のV−V断面図である。
【図６】図６は、第１変形例の止水装置の例示的かつ模式的な断面図であって、ストッパ部が収納位置に位置された状態の図である。
【図７】図７は、図６のストッパ部の例示的かつ模式的な斜視図であって、収納位置と突出位置との間の中間位置に位置された状態の図である。
【図８】図８は、図６のストッパ部の例示的かつ模式的な斜視図であって、突出位置に位置された状態の図である。
【図９】図９は、第２変形例の止水装置の例示的かつ模式的な断面図である。
【発明を実施するための形態】
【００１４】
以下、本発明の例示的な実施形態および変形例が開示される。以下に示される実施形態および変形例の構成、ならびに当該構成によってもたらされる作用および効果は、一例である。本発明は、以下の実施形態および変形例に開示される構成以外によっても実現可能である。また、本発明によれば、構成によって得られる種々の効果（派生的な効果も含む）のうち少なくとも一つを得ることが可能である。
【００１５】
また、以下に開示される実施形態および変形例には、同様の構成要素が含まれる。よって、以下では、それら同様の構成要素には共通の符号が付与されるとともに、重複する説明が省略される。なお、本明細書では、序数は、部品や、部材、部位、位置、方向等を区別するためだけに用いられており、順番や優先度を示すものではない。
【００１６】
［実施形態］
図１は、実施形態の止水装置１の正面図であって、止水板４が閉位置Ｐ１に位置された状態の図である。図１に示されるように、止水装置１は、例えば、構造物１００に設けられた開口部１０１を開閉可能に覆うシャッター装置として構成されている。止水装置１は、シャッターカーテン３と、止水板４と、ガイドレール５と、巻取装置６と、止水ゴム７，８（図４，５参照）と、沓摺部材９と、を備えている。止水装置１は、止水板付きシャッター等とも称される。
【００１７】
なお、止水装置１は、この例（止水板４とシャッターカーテン３とが一体となったもの）には限定されず、例えば、従来構造のような止水板４が開口部１０１に単独で設置されるものであってもよい。構造物１００は、例えば、車庫や、工場、倉庫、ビル、店舗、住宅等の建築構造物であり、開口部１０１を介して自動車等の車両や人間等が出入りしうる。開口部１０１は、建物開口の一例である。
【００１８】
以下の説明では、便宜上、互いに直交する三方向が定義されている。Ｘ方向は、止水板４の厚さ方向（前後方向）に沿うとともに、開口部１０１の開口方向（貫通方向）に沿う。Ｙ方向は、止水板４の横幅方向（左右方向）に沿うとともに、開口部１０１の幅方向に沿う。Ｚ方向は、止水板４の縦幅方向（上下方向）に沿うとともに、開口部１０１の高さ方向に沿う。なお、以下の説明では、Ｘ方向は前方、Ｘ方向の反対方向は後方とも称され、Ｙ方向は左方、Ｙ方向の反対方向は右方とも称され、Ｚ方向は上方、Ｚ方向の反対方向は下方とも称される場合がある。
【００１９】
また、以下の説明では、開口部１０１を介して前方（Ｘ方向）の空間から後方（Ｘ方向の反対方向）の空間へ水が浸入する可能性がある場合の後方が屋内側と定義され、前方が屋外側と定義される。すなわち、屋内側とは、止水板４によって水の浸入を防止（阻止、抑制）したい側であり、屋外側とは、浸入可能性のある水が流れてくる側のことである。また、以下の説明では、設置面１０２とは、開口部１０１の下方に隣接した面を意味する便宜上の文言であり、床面や、コンクリート面、地面等とも称される。
【００２０】
図２は、図１のII−II断面図であり、図３は、図１のII−II断面図であって、止水板４が開位置Ｐ２に位置された状態の図である。図２，３に示されるように、シャッターカーテン３は、開口部１０１を開閉可能に覆っている。シャッターカーテン３の下端３ａは、止水板４と接続（固定）され、上端３ｂは、巻取装置６の巻取軸１２と接続（固定）されている。シャッターカーテン３は、止水板４とともにＺ方向に沿って移動することで開口部１０１を開閉する。
【００２１】
シャッターカーテン３および止水板４の開方向は、図１〜３の上方（Ｚ方向）、すなわち設置面１０２から離れる方向であり、閉方向は、図１〜３の下方、すなわち設置面１０２に近付く方向である。シャッターカーテン３は、例えば、複数の帯板状のスラットをＺ方向に連接したスラット連接体等によって構成されうる。シャッターカーテン３は、開閉体や、開閉体本体等とも称される。
【００２２】
止水板４は、シャッターカーテン３と設置面１０２との間に設けられている。止水板４は、開口部１０１の下部で屋外側と屋内側とを隔てるように、設置面１０２上に設置される。止水板４は、例えば、Ｘ方向に所定の厚さを有し、Ｙ方向およびＺ方向に沿って延びるとともに、Ｙ方向に横長な直方体状に構成されている。止水板４は、防錆性を有する板状の金属材を加工してパネル状に構成されている。
【００２３】
止水板４は、シャッターカーテン３と一体に、開口部１０１を閉じる閉位置Ｐ１（図２参照）と、開口部１０１を開く開位置Ｐ２（図３参照）と、の間で移動可能に構成されている。止水板４が閉位置Ｐ１に位置された状態では、止水ゴム７（図４参照）と設置面１０２（沓摺部材９）とが当接し、シャッターカーテン３とともに開口部１０１が閉じられる。これにより、止水板４と設置面１０２との間がシールされ、開口部１０１を介した屋内側への雨水等の水の浸入が、防止（阻止、抑制）される。
【００２４】
また、止水板４が開位置Ｐ２（図３参照）に位置された状態では、止水板４が設置面１０２からシャッターカーテン３とともにＺ方向に離間する。これにより、開口部１０１の少なくとも一部が開放される。開位置Ｐ２は、例えば、止水板４が巻取装置６の下方に隣接（近接）した位置である。なお、開位置Ｐ２は、この例には限定されず、例えば、シャッターケース１１内に収納された位置等であってもよい。
【００２５】
ガイドレール５は、シャッターカーテン３および止水板４のＹ方向の両端部（図１，５参照）に設けられている。ガイドレール５は、例えば、Ｙ方向の中央部側に向けて開放された略Ｕ字状の断面を有し、設置面１０２と巻取装置６との間に亘ってＺ方向に直線状に延びている。ガイドレール５は、シャッターカーテン３および止水板４をＺ方向に沿ってスライド可能に支持する。
【００２６】
巻取装置６は、シャッターカーテン３およびガイドレール５の上方に設けられている。図２に示されるように、巻取装置６は、例えば、シャッターケース１１や、巻取軸１２、開閉機１３、動力伝達機構１５等を有している。巻取装置６は、構造物１００における躯体１０３の屋内側のスペースに設置されている。躯体１０３は、天井部材等とも称される。なお、図１では、便宜上、躯体１０３は、図示省略されている。
【００２７】
シャッターケース１１は、例えば、Ｙ方向に横長な直方体状の箱型に構成されている。シャッターケース１１には、巻取軸１２や、開閉機１３、動力伝達機構１５、シャッターカーテン３等が収容されている。
【００２８】
また、シャッターケース１１には、シャッターカーテン３が出入りする開口部１１ａ１が設けられている。開口部１１ａ１は、シャッターケース１１の底壁１１ａをＺ方向に貫通するとともにシャッターカーテン３に沿ってＹ方向に細長く延びた長穴である。開口部１１ａ１のＹ方向の両端部は、ガイドレール５とＺ方向に並んでいる。
【００２９】
巻取軸１２は、シャッターケース１１にＹ方向に沿った回転中心Ａｘ１回りに回転可能に支持されている。巻取軸１２には、シャッターカーテン３の上端３ｂが接続されている。巻取軸１２は、回転中心Ａｘ１回りに回転することで、シャッターケース１１内にシャッターカーテン３を巻き取って収納したり、シャッターケース１１外にシャッターカーテン３を引き出したりする。
【００３０】
開閉機１３は、例えば、駆動源としてのモータや、巻取軸１２の回転を制動するブレーキ機構、モータおよびブレーキ機構を制御する制御部等を有している。開閉機１３は、チェーンやスプロケット等を含む動力伝達機構１５を介して、巻取軸１２と接続されている。これにより、開閉機１３から巻取軸１２に駆動力が伝達される。
【００３１】
図４は、図２の止水板４の近傍の拡大図である。図４に示されるように、止水板４は、例えば、下壁４ａや、上壁４ｂ（図２参照）、前壁４ｃ、後壁４ｄ、中間壁４ｅ、補強壁４ｆ等の複数の壁部を有している。下壁４ａは、底壁とも称され、上壁４ｂは、天壁とも称される。また、前壁４ｃおよび後壁４ｄは、側壁や、周壁等とも称される。
【００３２】
下壁４ａおよび上壁４ｂは、いずれも、Ｚ方向と直交する方向（ＸＹ平面）に沿って延びており、Ｚ方向に間隔をあけて互いに平行に設けられている。下壁４ａは、設置面１０２（沓摺部材９）と面した下面４ａ１を有する。下壁４ａは、止水板４の下端部を構成し、上壁４ｂは、止水板４の上端部を構成している。
【００３３】
下壁４ａには、止水ゴム７を保持する凹部４ｒが設けられている。凹部４ｒは、下面４ａ１からＺ方向に凹み、Ｚ方向の反対方向に向けて開放されている。凹部４ｒは、下壁４ａに沿ってＹ方向に延びている。凹部４ｒには、例えば、圧入等によって止水ゴム７が固定されている。凹部４ｒは、ゴムポケット等とも称される。
【００３４】
前壁４ｃおよび後壁４ｄは、いずれも、Ｘ方向と直交する方向（ＹＺ平面）に沿って延びており、Ｘ方向に間隔をあけて互いに平行に設けられている。前壁４ｃは、下壁４ａおよび上壁４ｂのＸ方向の端部の間に亘り、後壁４ｄは、下壁４ａおよび上壁４ｂのＸ方向の反対方向の端部の間に亘っている。前壁４ｃは、止水板４の前端部を構成している。
【００３５】
また、前壁４ｃは、屋外側（Ｘ方向）を向いた前面４ｃ１を含み、後壁４ｄは、屋内側（Ｘ方向の反対方向）を向いた後面４ｄ１を含む。後面４ｄ１の下部は、後述する沓摺部材９のストッパ部９ｂとＸ方向に間隔をあけて面している。後面４ｄ１は、第一側面の一例である。
【００３６】
中間壁４ｅは、例えば、下壁４ａと平行な横壁４ｅ１と、前壁４ｃと平行な縦壁４ｅ２と、を有している。横壁４ｅ１は、いずれも、下壁４ａと上壁４ｂとの間に位置され、前壁４ｃと後壁４ｄとの間に亘っている。縦壁４ｅ２は、Ｚ方向に隣接した二つの横壁４ｅ１の間に亘っている。止水板４は、中間壁４ｅによって前壁４ｃから屋内側に入力される荷重（水圧）に対する剛性や強度が高められている。
【００３７】
補強壁４ｆは、後壁４ｄの屋内側に設けられている。補強壁４ｆは、Ｙ方向の視線では、後壁４ｄに向けて開放された略Ｕ字状に構成されている。補強壁４ｆは、後壁４ｄに沿ってＹ方向に延びている。補強壁４ｆは、止水板４の後端部を構成している。止水板４は、補強壁４ｆによっても前壁４ｃから屋内側に入力される荷重（水圧）に対する剛性や強度が高められている。
【００３８】
止水ゴム７は、例えば、ベース部７ａと、挿入部７ｂと、を有している。挿入部７ｂは、ベース部７ａから上方に突出し、Ｙ方向に沿って延びている。挿入部７ｂは、止水板４の凹部４ｒ内に挿入される。挿入部７ｂには、下壁４ａから凹部４ｒ内に突出した不図示の爪部とＺ方向に引っ掛かる引掛部が設けられている。これにより、止水ゴム７が凹部４ｒから抜けるのが抑制されている。
【００３９】
ベース部７ａは、Ｚ方向に所定の厚さを有し、Ｙ方向に沿って細長く延びた帯板状に構成されている。ベース部７ａは、例えば、下壁４ａのＹ方向の全幅に亘って設けられている。ベース部７ａは、止水板４の凹部４ｒの外側に位置されている。言い換えると、ベース部７ａは、凹部４ｒ（挿入部７ｂ）から下方に突出している。止水ゴム７は、エラストマ等によって構成されている。
【００４０】
図４に示されるように、止水板４が閉位置Ｐ１に位置された状態では、止水ゴム７が設置面１０２（沓摺部材９）と止水板４との間に介在する。止水ゴム７は、設置面１０２と止水板４との間に挟まれることで、弾性的に圧縮され、面圧を生じる。この面圧によって、設置面１０２と止水板４との間から屋内側に水が浸入するのが抑制される。止水ゴム７は、シール部材の一例である。止水ゴム７は、底部止水ゴム等とも称される。
【００４１】
図５は、図１のV−V断面図である。図５に示されるように、止水ゴム８は、例えば、止水板４の後壁４ｄのＹ方向の両端部に設けられている。止水ゴム８は、Ｘ方向に所定の厚さを有し、Ｚ方向に沿って細長く延びた帯板状に構成されている。止水ゴム８は、エラストマ等によって構成されている。
【００４２】
止水ゴム８は、例えば、止水板４のＹ方向の両端部に設けられた保持部材１８（図４参照）に保持されている。保持部材１８には、屋内側（Ｘ方向の反対方向）に向けて開放された不図示の凹部が設けられている。止水ゴム８は、止水ゴム７と同様に、凹部の外側に位置されるベース部８ａや、ベース部８ａから凹部に突出した挿入部等を有している。なお、図５では、便宜上、保持部材１８は、図示省略されている。
【００４３】
図５に示されるように、止水板４は、閉位置Ｐ１に位置された状態では、開位置Ｐ２（図３参照）に位置された状態よりも屋内側へ移動し、これにより、止水ゴム８がガイドレール５と当接する。止水ゴム８は、ガイドレール５と止水板４との間に挟まれることで、弾性的に圧縮され、面圧を生じる。この面圧によって、ガイドレール５と止水板４との間から屋内側に水が浸入するのが抑制される。止水ゴム８は、側部止水ゴム等とも称される。
【００４４】
沓摺部材９は、例えば、ベース部９ａと、ストッパ部９ｂと、を有している。図４に示されるように、ベース部９ａは、少なくとも一部が設置面１０２に埋まった状態に設けられている。すなわち、ベース部９ａは、設置面１０２に固定されている。ベース部９ａは、上方を向き、設置面１０２に露出した露出面９ａ１を有している。露出面９ａ１は、設置面１０２の一部を構成している。
【００４５】
露出面９ａ１は、止水ゴム７と面している。本実施形態では、例えば、露出面９ａ１（ベース部９ａ）のＹ方向に沿った幅は、止水ゴム７のＹ方向に沿った幅と略同じである。すなわち、露出面９ａ１は、止水板４のＹ方向の全幅に亘って止水ゴム７と当接している。止水ゴム７は、沓摺部材９の露出面９ａ１との間をシールすることにより、例えば、凹凸状の設置面１０２（アスファルト）との間をシールするような場合と比べて、止水性能の低下が抑制されている。
【００４６】
ストッパ部９ｂは、例えば、ベース部９ａから後壁４ｄ（止水板４）の下端４ｔよりも上方に突出している。ストッパ部９ｂは、後壁４ｄに沿ってＹ方向に延びている。ストッパ部９ｂは、後壁４ｄの後面４ｄ１と面し、ストッパとして機能する前面９ｂ１を有している。ストッパ部９ｂは、突出部や、当接部、規制部等とも称され、前面９ｂ１は、当接面や、規制面等とも称される。
【００４７】
図５に示されるように、ストッパ部９ｂは、例えば、止水板４のＹ方向の中央部に対応してベース部９ａから部分的に突出している。ストッパ部９ｂは、後面４ｄ１との当接によって止水板４の屋内側への移動を制限可能である。なお、ストッパ部９ｂは、この例には限定されず、例えば、止水板４のＹ方向の全幅に亘って設けられてもよい。また、例えば、複数のストッパ部９ｂが、止水板４に沿ってＹ方向に間欠的に設けられてもよい。
【００４８】
以上のように、本実施形態では、例えば、止水装置１は、開口部１０１（建物開口）の少なくとも下部で屋外側と屋内側とを隔てるように、上方を向きかつＹ方向（幅方向）に延びた設置面１０２上に設置される止水板４と、止水板４の下面４ａ１に設けられ、止水板４と設置面１０２との間をシールする止水ゴム７（シール部材）と、設置面１０２に設けられ、止水板４の少なくともＹ方向の中央部における屋内側の後面４ｄ１（第一側面）と面し、当該後面４ｄ１との当接によって止水板４の屋内側への移動を制限するストッパ部９ｂと、を備える。
【００４９】
このような構成によれば、例えば、開口部１０１がＹ方向に比較的広い場合等に、止水板４のＹ方向の中央部が水圧によってＹ方向の両端部よりも屋内側へ撓むのを抑制することができる。よって、例えば、止水板４の撓みに伴って止水ゴム７が設置面１０２に対して屋内側へ移動したり（滑ったり）、止水ゴム７が止水板４から外れたりするのが抑制され、ひいては止水板４と設置面１０２との間の止水性能の低下を抑制できる。
【００５０】
また、本実施形態では、例えば、ストッパ部９ｂは、設置面１０２の沓摺部材９に設けられている。このような構成によれば、例えば、ストッパ部９ｂが沓摺部材９に設けられた構成によって、止水板４の屋内側への撓みを抑制可能な止水装置１が比較的容易に実現されうる。
【００５１】
なお、本実施形態では、ストッパ部９ｂがベース部９ａと分離不能（一体）に設けられた場合が例示されたが、この例には限定されず、例えば、ベース部９ａと分離可能（着脱可能）に設けられてもよい。このような構成によれば、例えば、ストッパ部９ｂの使用時には止水板４の屋内側への撓みを抑制できる一方で、非使用時にはストッパ部９ｂと開口部１０１を出入りする車両や人間等との干渉を抑制できる。なお、ストッパ部９ｂは、この例には限定されず、例えば、設置面１０２に対して着脱可能なストッパ部材によって構成されてもよい。
【００５２】
［第１変形例］
図６は、本変形例の止水装置１Ａの断面図であって、ストッパ部１０ａが収納位置Ｐ１１に位置された状態の図である。止水装置１Ａは、上記実施形態の止水装置１と同様の構成を備えている。よって、止水装置１Ａは、当該同様の構成に基づく上記実施形態と同様の作用および効果を得ることができる。
【００５３】
ただし、本変形例では、図６に示されるように、ストッパ部１０ａが回転ストッパ１０によって構成されている点が、上記実施形態と相違している。回転ストッパ１０は、例えば、止水板４ＡのＹ方向の中央部と対応する位置に設けられている。回転ストッパ１０は、設置面１０２に収納された収納位置Ｐ１１と、設置面１０２上に突出した突出位置Ｐ１２（図８参照）との間で移動可能に構成されている。なお、回転ストッパ１０は、この例には限定されず、例えば、複数の回転ストッパ１０がＹ方向に互いに間隔をあけて設けられてもよい。
【００５４】
図７は、図６のストッパ部１０ａの斜視図であって、収納位置Ｐ１１と突出位置Ｐ１２との間の中間位置Ｐ１３に位置された状態の図である。図８は、図６のストッパ部１０ａの斜視図であって、突出位置Ｐ１２に位置された状態の図である。図７，８に示されるように、回転ストッパ１０は、例えば、ストッパ部１０ａと、レバー部１０ｂと、引掛部１０ｃと、を有している。
【００５５】
ストッパ部１０ａは、例えば、Ｘ方向に延びる回転中心Ａｘ２の周方向に沿って延びた半円の円板状に構成されている。ストッパ部１０ａは、屋外側（Ｘ方向）を向いた前面１０ａ１と、屋内側を向いた後面１０ａ２と、を有している。前面１０ａ１は、止水板４Ａの後面４ｄ１と面しており、当該後面４ｄ１との当接によって止水板４Ａの屋内側への移動を制限可能である。
【００５６】
また、ストッパ部１０ａは、例えば、ねじりコイルバネ等によって収納位置Ｐ１１から突出位置Ｐ１２側、すなわち図７，８の回転中心Ａｘ２回りの反時計回り方向に付勢されている。引掛部１０ｃは、ストッパ部１０ａに設けられ、レバー部１０ｂとＺ方向に面している。
【００５７】
レバー部１０ｂは、例えば、ロック位置と、ロック解除位置と、の間でＹ方向に沿ってスライド可能に構成されている。ロック位置では、レバー部１０ｂがストッパ部１０ａの引掛部１０ｃとＺ方向に引っ掛かる。これにより、ストッパ部１０ａのレバー部１０ｂに対する回転中心Ａｘ２回りの回転が制限され、ストッパ部１０ａが収納位置Ｐ１１（図６参照）でロックされる。
【００５８】
一方、ロック解除位置では、レバー部１０ｂが引掛部１０ｃに対してＹ方向に移動する。これにより、レバー部１０ｂと引掛部１０ｃとの引っ掛かりが解除され、ストッパ部１０ａのレバー部１０ｂに対する回転中心Ａｘ２回りの回転が可能となり、ねじりコイルバネ等の付勢力によって収納位置Ｐ１１（図６参照）から突出位置Ｐ１２（図８参照）へと移動する。
【００５９】
このように、本変形例では、ストッパ部１０ａは、設置面１０２に収納された収納位置Ｐ１１と、収納位置Ｐ１１から回転中心Ａｘ２回りに回転して設置面１０２上に突出した突出位置Ｐ１２と、の間で移動可能に構成されている。このような構成によれば、例えば、ストッパ部１０ａを設置面１０２上により容易に設置あるいは収納することができる。また、例えば、ストッパ部１０ａの使用時には止水板４Ａの屋内側への撓みを抑制できる一方で、非使用時にはストッパ部１０ａと開口部１０１を出入りする車両や人間等との干渉を抑制できる。
【００６０】
［第２変形例］
図９は、本変形例の止水装置１Ｂの止水板４Ｂの断面図である。止水装置１Ｂは、上記実施形態の止水装置１と同様の構成を備えている。よって、止水装置１Ｂは、当該同様の構成に基づく上記実施形態と同様の作用および効果を得ることができる。
【００６１】
ただし、本変形例では、図９に示されるように、止水板４Ｂに突出部４ｘが設けられている点が、上記実施形態と相違している。突出部４ｘは、後壁４ｄの止水ゴム７とは反対側（屋内側）に位置され、設置面１０２に設けられた凹部１１０内に突出している。凹部１１０は、設置面１０２からＺ方向の反対方向に凹み、Ｚ方向に向けて開放されている。凹部１１０および突出部４ｘは、止水板４の後壁４ｄに沿ってＹ方向に延びている。
【００６２】
凹部１１０は、屋外側（Ｘ方向）を向き、突出部４ｘの後面４ｘ１と面した側面１１０ａを有している。そして、本実施形態では、凹部１１０の側面１１０ａにストッパ部１１０ｂが設けられている。ストッパ部１１０ｂは、後面４ｘ１との当接によって止水板４の屋内側への移動を制限する。後面４ｘ１は、第一側面の一例であり、側面１１０ａは、第二側面の一例である。
【００６３】
凹部１１０および突出部４ｘは、例えば、止水板４ＢのＹ方向の中央部と対応する位置に設けられている。なお、凹部１１０および突出部４ｘは、この例には限定されず、例えば、止水板４ＢのＹ方向の全幅に亘って設けられてもよいし、複数の凹部１１０および突出部４ｘが、止水板４に沿ってＹ方向に間欠的に設けられてもよい。また、凹部１１０は、例えば、開閉可能な蓋１２０によって覆われている。
【００６４】
このように、本変形例では、止水板４Ｂは、設置面１０２に設けられた凹部１１０内に突出した突出部４ｘを有し、ストッパ部１１０ｂは、突出部４ｘの後面４ｘ１（第一側面）と面した凹部１１０の側面１１０ａ（第二側面）に設けられている。このような構成によれば、例えば、ストッパ部１１０ｂが凹部１１０の側面１１０ａに設けられた構成によって、止水板４Ｂの屋内側への撓みを抑制可能な止水装置１Ｂが比較的容易に実現されうる。
【００６５】
以上、本発明の実施形態および変形例が例示されたが、上記実施形態および変形例は一例であって、発明の範囲を限定することは意図していない。上記実施形態および変形例は、その他の様々な形態で実施されることが可能であり、発明の要旨を逸脱しない範囲で、種々の省略、置き換え、組み合わせ、変更を行うことができる。また、各構成や、形状、等のスペック（構造や、種類、方向、形式、大きさ、長さ、幅、厚さ、高さ、数、配置、位置、材質等）は、適宜に変更して実施することができる。
【符号の説明】
【００６６】
１，１Ａ，１Ｂ…止水装置、４，４Ａ，４Ｂ…止水板、４ａ１…下面、４ｄ１，４ｘ１…後面（第一側面）、４ｘ…突出部、７…止水ゴム（シール部材）、９…沓摺部材、９ｂ，１０ａ，１１０ｂ…ストッパ部、１０１…開口部（建物開口）、１０２…設置面、１１０…凹部、１１０ａ…側面（第二側面）、Ａｘ２…回転中心、Ｐ１１…収納位置、Ｐ１２…突出位置、Ｙ…幅方向。
【図１】
2020172815.tif 000003
【図２】
2020172815.tif 000004
【図３】
2020172815.tif 000005
【図４】
2020172815.tif 000006
【図５】
2020172815.tif 000007
【図６】
2020172815.tif 000008
【図７】
2020172815.tif 000009
【図８】
2020172815.tif 000010
【図９】
2020172815.tif 000011